(57)【要約】  パッケージ１は、タバコ製品のパケット２と、タバコ製品の内側パケット２を包み、包装材のシート１１をタバコ製品のパケット２の周りに折り曲げてヒートシールすることによって形成され、密封シールされる、好ましくは透明の上包み３と、包装材のシート１１に施され、包装材のシート１１の断裂をもたらし、続いて、上包み３の少なくとも一部を取り除くことが可能になっている少なくとも１つの引裂き要素とを備え、シールされた上包み３は、包装材のシート１１の重ね合わされヒートシールされた２つの第１のフラップ１７、１８を備える第１のフィン１９と、互いに対して平行であるとともに互いに向かい合い、それぞれが包装材のシート１１の重ね合わされヒートシールされた２つの第２のフラップ２３を備え、第１のフィン１９に対して垂直に位置する２つの第２のフィン２４とを備える。【選択図】図１
2017512718.tif 000002
【特許請求の範囲】
【請求項１】
パッケージ（１）であって、
タバコ製品のパケット（２）と、
タバコ製品のパケット（２）を包み、包装材のシート（１１）を前記タバコ製品のパケット（２）の周りに折り曲げてヒートシールすることによって形成される、好ましくは透明の密封シールされた上包み（３）と、
前記包装材のシート（１１）に施され、該包装材のシート（１１）の断裂をもたらし、続いて、前記上包み（３）の少なくとも一部を取り除くことが可能になっている少なくとも１つの引裂き要素と、
を備え、
該パッケージ（１）は、前記シールされた上包み（３）が、前記包装材のシート（１１）の重ね合わされヒートシールされた２つの第１のフラップ（１７、１８）からできている第１のフィン（１９）と、互いに対して平行であり、それぞれが前記包装材のシート（１１）の重ね合わされヒートシールされた２つの第２のフラップ（２３）を有し、前記第１のフィン（１９）に対して垂直である２つの第２のフィン（２４）とを備えることを特徴とする、パッケージ（１）。
【請求項２】
前記第１のフィン（１９）及び前記第２のフィン（２４）は、連続的なＵ字形状のシールラインに従い、前記パッケージ（１）の前記周縁部に沿って互いに連続する、請求項１に記載のパッケージ（１）。
【請求項３】
不活性ガス、好ましくは窒素によって形成される改変された雰囲気が、前記シールされた上包み（３）の内部に存在する、請求項１又は２に記載のパッケージ（１）。
【請求項４】
前記不活性ガスには殺菌物質及び／又は芳香物質が添加される、請求項３に記載のパッケージ（１）。
【請求項５】
前記上包み（３）は真空シールされるか又は実質的に真空シールされる、請求項１又は２に記載のパッケージ（１）。
【請求項６】
前記引裂き要素は、少なくとも１つのフィン（１９）に対して垂直であり、該少なくとも１つのフィン（１９）を横切る、請求項１〜５のいずれか１項に記載のパッケージ（１）。
【請求項７】
前記引裂き要素は前記第１のフィン（１９）に対して垂直であり、該第１のフィン（１９）を横切り、また、前記第２のフィン（２４）から離間するとともに独立している、請求項１〜５のいずれか１項に記載のパッケージ（１）。
【請求項８】
前記引裂き要素は、フィン（１９）に位置する先端部（２９）を有する、請求項６又は７に記載のパッケージ（１）。
【請求項９】
前記引裂き要素の前記先端部（２９）は、前記包装材のシート（１１）の縁から片持ち状態で突出する、請求項８に記載のパッケージ（１）。
【請求項１０】
前記引裂き要素の後端部（３０）は、前記包装材のシート（１１）の対応する縁から所与の距離を置いて位置する、請求項９に記載のパッケージ（１）。
【請求項１１】
前記引裂き要素の前記先端部（２９）は、フィン（１９）の外側端部（２１）から片持ち状態で突出する、請求項８、９、又は１０に記載のパッケージ（１）。
【請求項１２】
前記包装材のシート（１１）は、該包装材のシート（１１）に切り込まれ、前記引裂き要素と位置合わせされる、少なくとも２つの側方切込み部（３１）を有する、請求項１〜１１のいずれか１項に記載のパッケージ（１）。
【請求項１３】
前記側方切込み部（３１）はフィン（１９）に位置する、請求項１２に記載のパッケージ（１）。
【請求項１４】
前記側方切込み部（３１）はフィン（１９）の外縁（２１）に位置する、請求項１２又は１３に記載のパッケージ（１）。
【請求項１５】
前記２つの側方切込み部（３１）は、前記引裂き要素を囲むように該引裂き要素の互いに反対側に位置する、請求項１２、１３、又は１４に記載のパッケージ（１）。
【請求項１６】
前記２つの側方切込み部（３１）は前記引裂き要素の先端部（２９）に位置する、請求項１２〜１５のいずれか１項に記載のパッケージ（１）。
【請求項１７】
前記引裂き要素は引裂きストリップ（２８）によって画定される、請求項１〜１６のいずれか１項に記載のパッケージ（１）。
【請求項１８】
前記引裂きストリップ（２８）は、前記包装材のシート（１１）の第１の縁から、該包装材のシート（１１）の該第１の縁とは反対側の第２の縁までの前記包装材のシート（１１）の全範囲に沿って延在する、請求項１７に記載のパッケージ（１）。
【請求項１９】
前記包装材のシート（１１）の中央部は、前記引裂きストリップ（２８）の先端部（２９）を画定するＵ字形の第１の中央切れ目部（３２）を有し、
前記包装材のシート（１１）は第１のタグ（３３）を有し、該第１のタグ（３３）は、前記第１の中央切れ目部（３２）を覆って前記包装材のシート（１１）に施され、掴むことの可能な把持フラップを有する、請求項１７又は１９に記載のパッケージ（１）。
【請求項２０】
前記引裂き要素は第２のタグ（３４）によって画定され、該第２のタグ（３４）は、下にある第２の中央切れ目部（３５）において前記包装材のシート（１１）の一部に施され、掴むことの可能な把持フラップを有する、請求項１〜１６のいずれか１項に記載のパッケージ（１）。
【請求項２１】
前記タバコ製品のパケット（２）は平行六面体形状であり、正面壁（８）と、後壁（９）と、２つの側壁（１０）と、底壁（７）と、頂壁（６）とを有し、
前記シールされた上包み（３）は、２つの長手方向フィン（２４）を備え、該２つの長手方向フィン（２４）のそれぞれは、前記包装材のシート（１１）の重ね合わされヒートシールされた２つの側方フラップ（２３）を備え、対応する側壁（１０）に対して平行であるとともに該側壁（１０）上に留められ、前記側壁（１０）に対して中央に位置する内縁（２５）と、前記側壁（１０）の長手方向縁に位置する外縁（２６）とを有し、
前記シールされた上包み（３）は、横断方向フィン（１９）を備え、該横断方向フィン（１９）は、前記包装材のシート（１１）の重ね合わされヒートシールされた２つの底部フラップ（１７、１８）を備え、前記正面壁（８）又は前記後壁（９）に対して平行であるとともに該正面壁（８）又は該後壁（９）上に留められ、前記底壁（７）の横断方向縁に位置する内縁（２０）と、前記正面壁（８）又は前記後壁（９）に位置する外縁（２１）とを有する、請求項１〜２０のいずれか１項に記載のパッケージ（１）。
【請求項２２】
各長手方向フィン（２４）は、該長手方向フィン（２４）の互いに反対側に位置し、該長手方向フィン（２４）上かつ前記対応する側壁（１０）のそれぞれの横断方向縁の周りに１８０度折り曲げられる２つの付属部（２７）を有する、請求項２１に記載のパッケージ（１）。
【発明の詳細な説明】
【技術分野】
【０００１】
本発明は、タバコ製品のパケットを備えるパッケージ及びタバコ製品を包む上包みに関する。
【０００２】
本発明は、以下の説明により一般性を失うことなく明示的に参照されるシガレットのパケットに適用されることが有利である。
【背景技術】
【０００３】
シガレットのパケットは、概して、包装材の内側シートに包まれる一群のシガレットによって形成される内側パッケージと、外殻とを備え、この外殻は、内側パッケージを包むとともに、カップ形状の内側パッケージの周りに折り曲げられる包装材の外側シートから作製することができるか（シガレットのソフトタイプのパケット）、又は剛性のブランクを内側パッケージの周りに折り曲げることによって形成されるヒンジ式の蓋を有する剛性の箱から作製することができる（シガレットの剛性タイプのパケット）。
【０００４】
タバコは、外部環境の影響に非常に敏感である。これは、タバコが大気と接触すると、湿度変化の影響（タバコが過度に乾燥し得るか又は過度の湿気を吸収し得る）と、タバコに含浸されている揮発性物質（特にフレーバー付きシガレットの場合、クローブ等の特定の芳香）の蒸発との双方により、タバコの官能特性が変化しがちであるためである。シガレットタバコの完全性を保存するため、シガレットのパケットはセロハン包みであり、すなわち、プラスチック材料の概して透明な不浸透性のヒートシールされた外側上包みによって被覆される。
【０００５】
特許文献１は、ヒンジ式の蓋を有する剛性の内側容器と、引裂きストリップを有する加圧された透明上包み（すなわち、大気圧よりも高い圧力を有する）とを備えるシガレットのパケットを記載している。透明上包みは、重ね合わされ、場合によっては糊を用いてともに糊付けされた２つの別個の連続した内装によって形成されており、そのため、透明上包みは二層型であり、したがって、加圧に対してより大きい耐久性が確保され得る。加圧は、一容量の加圧剤、一般的にはドライアイス（固体二酸化炭素）、液体窒素、又は液体アルゴンを透明上包みの内部に注入することによって行われる。
【０００６】
特許文献２は、単一のフィンを形成してシガレットのパケットの周りに透明上包みを折り曲げることを記載している。
【０００７】
しかしながら、既知の包装によって形成されるヒートシールされた外側上包みは、シガレットのパケット内に包まれたタバコの官能特性を完全に（又は最適に）保存するには常に十分ではない場合があることが認められた。
【先行技術文献】
【特許文献】
【０００８】
【特許文献１】米国特許出願公開第２０１１／０４２２４９号
【特許文献２】米国特許第２，２６２，７７４号
【発明の概要】
【発明が解決しようとする課題】
【０００９】
本発明の目的は、上述の不都合点を有せず、それと同時に製造が容易で安価である、タバコ製品のパケットとタバコ製品のパケットを包む上包みとを備えるパッケージを提供することである。
【課題を解決するための手段】
【００１０】
本発明によれば、タバコ製品のパケットと、タバコ製品のパケットを包む上包みとを備える、添付の特許請求の範囲に記載のパッケージが提供される。
【００１１】
以下、本発明を、非限定的な実施形態のいくつかの例を示す添付図面を参照して記載する。
【図面の簡単な説明】
【００１２】
【図１】本発明に従って形成されるパッケージの正面斜視図である。
【図２】図１のパッケージに包まれているシガレットのパケットの３つの異なる斜視図のうちの１つの図である。
【図３】図１のパッケージに包まれているシガレットのパケットの３つの異なる斜視図のうちの１つの図である。
【図４】図１のパッケージに包まれているシガレットのパケットの３つの異なる斜視図のうちの１つの図である。
【図５】図１のシールされた内側パッケージを形成するのに用いられる包装材のシートの平面図である。
【図６】図２、図３、及び図４のシガレットのパケットの周りに図５の包装材のシートを折り曲げ、シガレットのパケット自体の周りにシールされた上包みを形成している３つの概略側面図のうちの１つの図である。
【図７】図２、図３、及び図４のシガレットのパケットの周りに図５の包装材のシートを折り曲げ、シガレットのパケット自体の周りにシールされた上包みを形成している３つの概略側面図のうちの１つの図である。
【図８】図２、図３、及び図４のシガレットのパケットの周りに図５の包装材のシートを折り曲げ、シガレットのパケット自体の周りにシールされた上包みを形成している３つの概略側面図のうちの１つの図である。
【図９】図２、図３、及び図４のシガレットのパケットの周りに図５の包装材のシートを折り曲げ、シガレットのパケット自体の周りにシールされた上包みを形成している４つの概略斜視図のうちの１つの図である。
【図１０】図２、図３、及び図４のシガレットのパケットの周りに図５の包装材のシートを折り曲げ、シガレットのパケット自体の周りにシールされた上包みを形成している４つの概略斜視図のうちの１つの図である。
【図１１】図２、図３、及び図４のシガレットのパケットの周りに図５の包装材のシートを折り曲げ、シガレットのパケット自体の周りにシールされた上包みを形成している４つの概略斜視図のうちの１つの図である。
【図１２】図２、図３、及び図４のシガレットのパケットの周りに図５の包装材のシートを折り曲げ、シガレットのパケット自体の周りにシールされた上包みを形成している４つの概略斜視図のうちの１つの図である。
【図１３】図１のパッケージの一代替形態の正面斜視図である。
【図１４】図１３のシールされた内側パッケージを形成するのに用いられる包装材のシートの平面図である。
【図１５】図１のパッケージの別の代替形態の正面斜視図である。
【図１６】図１５のシールされた内側パッケージを形成するのに用いられる包装材のシートの平面図である。
【図１７】図１のパッケージの別の代替形態の正面斜視図である。
【図１８】図１７のシールされた内側パッケージを形成するのに用いられる包装材のシートの平面図である。
【図１９】図１のパッケージの別の代替形態の正面斜視図である。
【図２０】図１９のシールされた内側パッケージを形成するのに用いられる包装材のシートの平面図である。
【図２１】図１のパッケージの別の代替形態の正面斜視図である。
【図２２】図２１のシールされた内側パッケージを形成するのに用いられる包装材のシートの平面図である。
【発明を実施するための形態】
【００１３】
図１において、符号１は、全体として、平行六面体形状のシガレットのパケット２（図２、図３、及び図４に示されている）と、シガレットのパケット２を包む密封シールされた上包み３とを備えるパッケージを示している。
【００１４】
「密封シールされた」という用語は、「気密シールされた」という意味であり、すなわち、パッケージの内部から外部への、また外部から内部への空気の流通、ひいては香料及び／又は湿気の流通を妨げるシールを指す。
【００１５】
図２、図３、及び図４に示されているように、シガレットのパケット２は、剛性の外装４（ただし、代替的かつ完全に均等な一実施形態によればソフトな外装４とすることもできる）と、外装４に挿入され、一群のシガレットを包むソフトな内装５（特に図３に見られる）とを備える。平行六面体形状のシガレットのパケット２は、互いに平行に対向する頂壁６及び底壁７と、互いに平行に対向する正面壁８及び後壁９と、互いに平行に対向する２つの側壁１０とを備える。シガレットのパケット２の正面壁８と後壁９との間かつ側壁１０間には４つの長手方向縁が画定され、シガレットのパケット２の正面壁８と後壁９との間かつ頂壁６と底壁７との間には４つの横断方向主縁が画定され、最後に、シガレットのパケット２の頂壁６と底壁７との間かつ側壁１０間には４つの横断方向副縁が画定される。
【００１６】
シールされた上包み３は、包装材のシート１１（図５に示されている）を折り曲げることによって得られ、包装材のシート１１は、矩形であり、気密ヒートシール可能なプラスチック材料の少なくとも１つの層を含み、シガレットのパケット２の周りに折り曲げられる。好ましくは（必須ではないが）、包装材のシート１１は単層であり、気密ヒートシール可能な１つのみのプラスチック材料からなる。
【００１７】
包装材のシート１１は透明であるが、可能な代替形態によれば、いくぶん不透明度が顕著であってもよい。
【００１８】
特に、包装材のシート１１はポリプロピレン製であることが好ましい。
【００１９】
代替的には、包装材のシート１１はポリエチレン製である。
【００２０】
包装材のシート１１が、シガレットのパケット２の周りに折り曲げられ、シールされた上包み３を形成すると、シールされた上包み３自体の形状は、包装材のシート１１の重ね合わされた部分にヒートシールをもたらすことによって安定する。
【００２１】
図６〜図１２において、シールされた上包み３をもたらすために包装材のシート１１をシガレットのパケット２の周りに折り曲げる手順が示されている。
【００２２】
図６に示されているように、初めに、包装材のシート１１をシガレットのパケット２の周りに「Ｕ」字状に折り曲げ、シガレットのパケット２の正面壁８と同一平面かつシガレットのパケット２の底壁７から突出する底部フラップ１７と、シガレットのパケット２の後壁９と同一平面かつシガレットのパケット２の底壁７から突出する底部フラップ１８とを形成する。２つの底部フラップ１７及び１８は、初めは互いに向かい合っておらず（図６に明確に示されている）、底部フラップ１８は底部フラップ１７よりも多く突出している（２つの底部フラップ１７及び１８間の位置の差は、シガレットのパケット２の底壁７の厚さに等しい）ことに留意することが重要である。
【００２３】
続いて、図７及び図９に示されているように、２つの底部フラップ１７及び１８を、底壁７のそれぞれの横断方向縁の周りに同じ方向に９０度折り曲げ、それにより、２つの底部フラップ１７及び１８が重なり合い、横断方向フィン１９を形成する。横断方向フィン１９は、シガレットのパケット２の底壁７に対して平行に位置し、シガレットのパケット２の底壁７の横断方向縁に位置する内縁２０を有するとともに、シガレットの群２から外方に所与の距離を置いて位置する外縁２１を有する。横断方向フィン１９の形成に続いて、横断方向フィン１９自体を安定させるように、２つの重なり合った底部フラップ１７及び１８を互いにヒートシールする。
【００２４】
最後に、図８及び図１０に示されているように、横断方向フィン１９を、シガレットのパケット２の底壁７の横断方向縁に対して（すなわち、横断方向フィン１９の内縁２０の周りに）９０度折り曲げ、シガレットのパケット２の正面壁８上に横断方向フィン１９自体を留める（すなわち、シガレットのパケット２の正面壁８上に横断方向フィン１９の外縁２１を留める）。
【００２５】
添付図面に示されている実施形態において、横断方向フィン１９は初め、シガレットのパケット２の正面壁８に近接して位置し（例えば図７に示されている）、その後、シガレットのパケット２の正面壁８上に折り曲げられる（例えば図８に示されている）。図示していない代替的かつ完全に均等な１つの実施形態によれば、横断方向フィン１９は初め、シガレットのパケット２の後壁９に近接して位置し、次いで、シガレットのパケット２の後壁９上に折り曲げられる（本質的に、正面壁８は後壁９と入れ替わる）。図示していない更なる完全に均等な一実施形態によれば、横断方向フィン１９は、シガレットのパケット２の底壁７上に折り曲げられる（すなわち、添付図面に示されているものに対して逆方向）。
【００２６】
図９及び図１０に示されているように、横断方向フィン１９の形成により、包装材のシート１１は筒状の包みの形態になる。この筒状の包みは、シガレットのパケット２を包み、シガレットのパケット２の側壁１０自体に位置する２つの開放端部２２を有する（すなわち、筒状の包みの各開放端部２２により、シガレットのパケット２の対応する側壁１０が見えたままである）。各開放端部２２は２つの側方フラップ２３を有し、２つの側方フラップ２３は、互いに向かい合い、シガレットのパケット２から（詳細には、シガレットのパケット２の対応する側壁１０から）はみ出している。
【００２７】
図１１に示されているように、横断方向フィン１９の形成及び折曲げが終わると、筒状の包みの各開放端部において、包装材のシート１１の２つの重なり合った側方フラップ２３を、互いに向かって折り曲げ、それにより、下にあるシガレットのパケット２の側壁１０に対して垂直な長手方向フィン２４を形成する。詳細には、各長手方向フィン２４は、シガレットのパケット２の側壁１０に対して中央に位置する（又はシガレットのパケット２の側壁１０に接触して位置する）内縁２５と、シガレットの群２から外方に所与の距離を置いて位置する外縁２６とを有する。各長手方向フィン２４の形成に続いて、長手方向フィン２４自体を安定させるために、長手方向フィン２４の２つの重なり合った側方フラップ２３を互いにヒートシールする。
【００２８】
続いて、図１２に示されているように、各長手方向フィン２４を、シガレットのパケット２の側壁１０上に９０度折り曲げる（すなわち、シガレットのパケット２の側壁１０の１つの長手方向縁に各長手方向フィン２４の外縁２６を留める）。
【００２９】
各長手方向フィン２４は、略三角形状の２つの付属部２７を有する。２つの付属部２７は、シガレットのパケット２の対応する側壁１０の互いに反対側に位置するとともに、側壁１０自体から突出する（又ははみ出している）。
【００３０】
続いて、図１に示されているように、各長手方向フィン２４の２つの付属部２７を、長手方向フィン２４自体の上にかつ対応する側壁１０のそれぞれの横断方向縁の周りに１８０度折り曲げる。
【００３１】
最後に、各付属部２７を、下にある長手方向フィン２４の部分とともに、下にある包装材のシート１１の部分にヒートシールし、付属部２７の折曲げ位置と長手方向フィン２４の折曲げ位置とを安定させる。
【００３２】
図１及び図５に示されているように、包装材のシート１１、またひいてはシールされた上包み３には、パッケージ１を最初に開封するときに、シールされた上包み３を開けて取り除くのに用いる引裂きストリップ２８が設けられている。または、引裂きストリップ２８は、包装材のシート１１（すなわち、包装材の折り曲げられたシート１１によって画定されるシールされた上包み３）に断裂をもたらし、続いて、シールされた上包み３自体の少なくとも一部を取り除くことが可能になっている。引裂きストリップ２８は、包装材のシート１１に接着するように、包装材のシート１１に予め施される（通常はヒートシールだが、糊付けも可能である）。引裂きストリップ２８の１つの先端部２９を引っ張ることにより、包装材のシート１１（すなわち、包装材の折り曲げられたシート１１によって画定されるシールされた上包み３）が、引裂きストリップ２８（包装材のシート１１よりも機械的強度が大きく、より耐久性がある）に沿って引き裂かれ、包装材のシート１１の制御された破断を容易かつ迅速にもたらすことが可能になる。
【００３３】
図１及び図５に示されている好ましい一実施形態によれば、引裂きストリップ２８の先端部２９は、片持ち状態で包装材のシート１１の１つの縁から突出し、引裂きストリップ２８の後端部３０は、包装材のシート１１の反対側の縁から所与の距離を置いて位置する。したがって、引裂きストリップ２８の先端部２９は、横断方向フィン１９の外縁２１に位置するとともに、横断方向フィン１９の外縁２１から突出し、一方、引裂きストリップ２８の後端部３０は、横断方向フィン１９の外縁２１から所与の距離を置いて位置する。使用に際し、使用者は、横断方向フィン１９の外縁２１において引裂きストリップ２８の先端部２９を掴み、次いで、包装材のシート１１（すなわち、包装材の折り曲げられたシート１１によって形成されるシールされた上包み３）の引裂きストリップ２８を引っ張るのを開始する。
【００３４】
図１及び図５に示されている好ましい一実施形態によれば、引裂きストリップ２８の先端部２９において、包装材のシート１１にある引裂きストリップ２８の先端部２９と位置合わせされて、２つの側方切込み部（lateral through incisions）３１が設けられ、２つの側方切込み部３１は、包装材のシート１１に切り込まれ、引裂きストリップ２８の先端部２９の近位における包装材のシート１１の初めの引裂きを容易にする役目を果たす。
【００３５】
図１及び図５に示されている実施形態において、引裂きストリップ２８は長手方向に位置する（したがって、引裂きストリップ２８は横断方向フィン１９を垂直方向に横切る）。図１３及び図１４に示されている代替形態において、引裂きストリップ２８は横断方向に位置し（したがって、引裂きストリップ２８は長手方向フィン２４を垂直方向に横切る）、包装材のシート１１（図１４に示されている）は、最初は離れているが、包装材のシート１１の折曲げの際に重なり合う２つの別個の部分からなる。
【００３６】
また、図１５及び図１６に示されている代替形態において、引裂きストリップ２８は横断方向に位置するが、包装材のシート１１の折曲げの様態は反転しており（したがって異なる形状を有する）、そのため、２つの長手方向フィン２４はシガレットのパケット２の頂壁６及び底壁７に位置する。
【００３７】
図１７及び図１８に示されている実施形態において、２つの引裂きストリップ２８は平行に設けられるとともに、互いに離間している。この実施形態では、使用者は横断方向フィン１９の外縁２１を掴み、平行に並んだ２つの引裂き線（２つの引裂きストリップ２８によって明確に画定される）に沿って、包装材のシート１１（すなわち、包装材の折り曲げられたシート１１によって画定されるシールされた上包み３）を引き裂いて引っ張る。各引裂きストリップ２８は、外側（すなわち、他方の引裂きストリップ２８とは反対側）に位置する単一の側方切込み部３１を伴っていることが好ましい。しかし、図示していない一代替形態によれば、各引裂きストリップ２８は、引裂きストリップ２８自体の互いに反対側に位置する２つの側方切込み部３１（図５に示されている）を伴っていてもよい。さらに、この実施形態において、図１８に示されているように、包装材のシート１１は、双方の縁に（すなわち、横断方向フィン１９の底部フラップ１８上及びまた横断方向フィン１９の底部フラップ１７上に）側方切込み部３１を有することが好ましい（ただし必須ではない）。
【００３８】
図１９及び図２０に示されている実施形態では、包装材のシート１１は、中央部にＵ字形の中央切れ目部３２を有し、Ｕ字形の中央切れ目部３２は、引裂きストリップ２８に位置する（又は引裂きストリップ２８の下に位置する）とともに、引裂きストリップ２８の先端部２９（したがって同様に、先端部２９の横に明確に位置する、引裂きストリップ２８の後端部３０）を画定する。さらに、包装材のシート１１はタグ３３を有し、タグ３３は、中央切れ目部３２を覆って包装材のシート１１に施され（糊付け又はヒートシール）、掴むことの可能な把持フラップを有する（すなわち、把持フラップは包装材のシート１１と一体ではなく、それにより、引裂きストリップ２８における包装材のシート１１の引裂きを開始するために、容易に持ち上げて引っ張ることが可能である）。この実施形態では、包装材のシート１１は、引裂きストリップ２８の周りかつ底部フラップ１７及び１８に（すなわち、シールされた上包み３において、引裂きストリップ２８の周りかつ横断方向フィン１９の外縁２１に）位置する側方切込み部３１を有することが好ましい。これらの側方切込み部３１は、横断方向フィン１９において、シールされた上包み３の引裂きを容易にする機能を有する。
【００３９】
図１〜図２０に示されている実施形態において、引裂きストリップ２８（又は、図１７及び図１８に示されているような２つの引裂きストリップ２８が設けられる場合には２つの引裂きストリップ２８）は、包装材のシート１１の断裂をもたらし、続いて、シールされた上包み３の少なくとも一部を取り除くことが可能になっている引裂き要素である。図２１及び図２２に示されている代替的な一実施形態によれば、引裂きストリップ２８は、（引裂きストリップ２８の代わりに）引裂き要素を構成する単一のタグ３４に置き換えられる。タグ３４は、下にある中央切れ目部３５において包装材のシート１１の一部に施され（糊付け又はヒートシール）、掴むことの可能な把持フラップを有する（把持フラップは包装材のシート１１と一体ではなく、そのため、包装材のシート１１の引裂きを開始するために容易に持ち上げて引っ張ることが可能である）。この実施形態では、包装材のシート１１は、中央切れ目部３５と位置合わせされて底部フラップ１７及び１８に（すなわち、シールされた上包み３において、横断方向フィン１９の外縁２１に）位置する側方切込み部３１を有することが好ましい。これらの側方切込み部３１は、横断方向フィン１９においてシールされた上包み３の引裂きを容易にする機能を有する。この実施形態の更なる構造的な詳細は、イタリア国特許出願第ＢＯ２０１３Ａ００００８６号において見ることができる。
【００４０】
可能な一実施形態によれば、シールされた上包み３の内部には、改変された雰囲気（すなわち外部雰囲気とは異なる）がもたらされる。換言すると、シールされた上包み３の内部には、通常の地球の大気に比して（全体又は少なくとも一部が）異なる気体からなる改変された雰囲気がもたらされる。例として、シールされた上包み３は、不活性ガス、好ましくは窒素を封入し、その中には、殺菌物質及び／又は芳香物質を添加することができる。詳細には、芳香物質は、メントールフレーバー、タバコフレーバー、コーヒーフレーバー、アニスフレーバーを含むことができる。代替的な一実施形態によれば、シールされた上包み３の内部には、通常の地球の大気に比してより希薄化された雰囲気（すなわち、上包み３は真空シールされるか又は実質的に真空シールされ、すなわち、いくぶん強制的な真空）がもたらされる。
【００４１】
上述のパッケージ１は数多くの利点を有する。
【００４２】
まず、上述のシールされた上包み３は気密であり、それにより、外部環境に対する最適なシールを確実にする。この結果は、シールされた上包み３の閉鎖が、連続的なＵ字形のシールラインに従い、パッケージの周縁部に沿って互いに連続する３つのフィン１９又は２４によって保証され、最大限の気密性が確保されることによって得られる。
【００４３】
詳細には、ヒートシール中、各フィン１９又は２４により、非常に高い機械的圧力が印加され、包装材のシート１１の重ね合わされたフラップ１７、１８、又は２３をともに押し、フィン１９又は２４自体を形成するが、この機械的圧力は、シガレットのパケット２上に決して逃げることはない。さらに、各フィン１９又は２４において、包装材のシート１１のフラップ１７、１８、又は２３の重ね合わせは、常に包装材のシート１１の内面の一部のみを互いに接触させることにより（すなわち、包装材のシート１１の外面を係合させることなく）行われ、それにより、ヒートシールがより強く、安定するようになる。
【００４４】
さらに、上述のシールされた上包み３は、単純な構造の包装機においても容易に得ることが可能である。したがって、上述のシールされた上包み３は、高い製造品質を維持しながら迅速に生産することができる。
【図１】
2017512718.tif 000003
【図２】
2017512718.tif 000004
【図３】
2017512718.tif 000005
【図４】
2017512718.tif 000006
【図５】
2017512718.tif 000007
【図６】
2017512718.tif 000008
【図７】
2017512718.tif 000009
【図８】
2017512718.tif 000010
【図９】
2017512718.tif 000011
【図１０】
2017512718.tif 000012
【図１１】
2017512718.tif 000013
【図１２】
2017512718.tif 000014
【図１３】
2017512718.tif 000015
【図１４】
2017512718.tif 000016
【図１５】
2017512718.tif 000017
【図１６】
2017512718.tif 000018
【図１７】
2017512718.tif 000019
【図１８】
2017512718.tif 000020
【図１９】
2017512718.tif 000021
【図２０】
2017512718.tif 000022
【図２１】
2017512718.tif 000023
【図２２】
2017512718.tif 000024
【国際調査報告】
2017512718.tif 000025
2017512718.tif 000026
2017512718.tif 000027
2017512718.tif 000028